(57)【要約】【課題】消費電力を大きくせずに移動レンズを正確に駆動することができるカメラを提供する。【解決手段】撮影光学系と、複数の移動レンズ（５６、５７）を有するファインダ光学系と、移動レンズと係合するカム溝（４６ｃ、４６ｄ）を有し、撮影光学系の変倍動作に連動して移動レンズをカム駆動するカム板４６と、カム板の移動方向のうち一方向にカム板を付勢する第１の付勢部材４７と、移動レンズをカム溝の側面に付勢する第２の付勢部材５９とを備え、第２の付勢部材は、移動レンズを介してカム板に加わる付勢力のうちカム板の移動に寄与する分力の方向が、第１の付勢部材の付勢方向と略一致するように移動レンズを付勢する。【選択図】  図１０
2004258195.tif 000002
【特許請求の範囲】
【請求項１】
撮影光学系と、
複数の移動レンズを有するファインダ光学系と、
前記移動レンズと係合するカム溝を有し、前記撮影光学系の変倍動作に連動して前記移動レンズをカム駆動するカム板と、
このカム板の移動方向のうち一方向に前記カム板を付勢する第１の付勢部材と、
前記移動レンズを前記カム溝の側面に付勢する第２の付勢部材とを備え、
前記第２の付勢部材は、前記移動レンズを介して前記カム板に加わる付勢力のうち前記カム板の移動に寄与する分力の方向が、前記第１の付勢部材の付勢方向と略一致するように前記移動レンズを付勢することを特徴とするカメラ。
【発明の詳細な説明】
【０００１】
【発明の属する技術分野】
本発明は、撮影光学系とファインダ光学系を連動させるカム板を備えたカメラに関するものである。
【０００２】
【従来の技術】
従来、沈胴式レンズ鏡筒のカメラに設けられているファインダ光学系は、撮影光学系の変倍動作に連動するようになっており、この連動機構には、撮影光学系の駆動機構からギアトレインなどの伝達部材を介してファインダ光学系をカム駆動する方式や、撮影光学系の焦点距離を検出しながら別のアクチュエータでファインダ光学系を駆動する方式がある。
【０００３】
しかし、伝達部材を介してファインダ光学系を駆動する連動機構においては、構造上、レンズ鏡筒の外側に伝達部材を配置しなければならず、カメラの小型化を図るのに弊害となっている。また、別のアクチュエータを用いた連動機構においては、駆動機構を構成する部品点数が多くなり、カメラの小型化はもとより、コストの面でも大きな弊害となっている。
【０００４】
これらの課題を解決する手段として、板状のカム部材（ファインダカムプレート）を介して撮影光学系およびファインダ光学系を連動させる機構がある（例えば、特許文献１参照）。すなわち、板状のファインダカムプレートを用いて撮影光学系およびファインダ光学系を連動させることにより、部品点数を少なくでき、カメラの小型化を図れるようになっている。
【０００５】
このファインダカムプレートは、図１７に示すような構成をとっている。すなわち、撮影光学系の変倍動作に応じてファインダカムプレート４６が光軸周りに回転（図１７中左右方向に移動）するようになっており、ファインダ光学系を構成するレンズ５６、５７がそれぞれ、フォロア部５６ａ、５７ａおよびカム溝４６ｃ、４６ｄのカム係合作用により光軸方向（図１７中上下方向）に移動するようになっている。
【０００６】
この連動機構において、レンズ鏡筒が沈胴状態と撮影状態（ワイド状態）との間を移動するときには、レンズ鏡筒の駆動力がファインダカムプレート４６に伝わらないようになっている。そして、レンズ鏡筒がワイド状態とテレ状態との間を移動するときにファインダカムプレート４６が回転駆動される。
【０００７】
このため、レンズ鏡筒が沈胴状態とテレ状態との間で移動するときにカム部材を回転駆動する場合に比べて、ファインダカムプレート４６の駆動範囲を小さくできるため、カメラの小型化を図ることができる。
【０００８】
ここで、ファインダカムプレート４６は、引張りバネ４７により図１７中左方向に付勢されており、ワイド状態からテレ状態に移行する場合には、引張りバネ４７の付勢力（図１７の矢印Ｂで示す力）に抗してファインダカムプレート４６を図１７中右方向に駆動することになる。
【０００９】
【特許文献１】
特開２００１−３２４７４９号公報
【００１０】
【発明が解決しようとする課題】
上述したファインダカムプレート４６を用いた連動機構において、レンズ５６、５７は、図１７に示すように引張りバネ５９’により互いに近づく方向に付勢されており、フォロア部５６ａ、５７ａがカム溝４６ｃ、４６ｄの内側壁面に当接することで片寄せされている。
【００１１】
このとき、引張りバネ５９’によって生じる力は、レンズ５６、５７のフォロア部５６ａ、５７ａを介してカム溝４６ｃ、４６ｄへと伝えられ、ファインダカムプレート４６には図１７の右方向への力（矢印Ｃ’で示す力）が生じる。ここで、フォロア部５６ａがカム溝４６ｃに側面に与える力を矢印Ａ３で示し、フォロア部５７ａがカム溝４６ｄの側面に与える力を矢印Ａ４で示す。
【００１２】
一方、ファインダカムプレート４６は、上述したように引張りバネ４７によって図１７中左方向に付勢されており、ファインダカムプレート４６には、相反する方向の２つの力（矢印Ｂで示す力と矢印Ｃ’で示す力）が働いている。
【００１３】
このため、引張りバネ４７によってファインダカムプレート４６を一方向（図１７中左方向）に片寄せする力（矢印Ｂ）は、引張りバネ５９’によってファインダカムプレート４６を他方向（図１７中右方向）に片寄せする力（矢印Ｃ’）の分だけ相殺される。
【００１４】
ここで、ファインダカムプレート４６をテレ状態からワイド状態に駆動する場合には、引張りバネ４７の付勢力だけでファインダカムプレート４６を駆動することになる。しかし、引張りバネ４７によるファインダカムプレート４６の片寄せ力は、この一部が引張りバネ５９’によるファインダカムプレート４６の片寄せ力によって相殺されるため、この相殺された分だけ引張りバネ５９’の片寄せ力が弱まり、ファインダカムプレート４６をワイド状態まで駆動できない恐れがある。
【００１５】
この対策として、引張りバネ４７の引張り力を強くすることも考えられるが、この場合には、ファインダカムプレート４６を引張りバネ４７の付勢力に抗して駆動するときに大きな駆動力が必要となり、駆動源により多くの電流を供給しなければならない。
【００１６】
【課題を解決するための手段】
本発明のカメラは、撮影光学系と、複数の移動レンズを有するファインダ光学系と、移動レンズと係合するカム溝を有し、撮影光学系の変倍動作に連動して移動レンズをカム駆動するカム板と、このカム板の移動方向のうち一方向にカム板を付勢する第１の付勢部材と、移動レンズをカム溝の側面に付勢する第２の付勢部材とを備え、第２の付勢部材は、移動レンズを介してカム板に加わる付勢力のうちカム板の移動に寄与する分力の方向が、第１の付勢部材の付勢方向と略一致するように移動レンズを付勢することを特徴とする。
【００１７】
【発明の実施の形態】
本発明の１実施形態であるカメラについて図面を参照しながら説明する。本実施形態のカメラにおけるレンズ鏡筒は、光軸方向に繰り出し繰り込み可能であり、カメラ内に収納される沈胴位置と、光軸方向に繰り出した撮影位置（ワイドからテレ）との間で移動可能となっている。また、レンズ鏡筒の繰り出し繰り込み動作に連動して光学ファインダユニットが駆動するようになっている。
【００１８】
図１は、本実施形態のカメラのうち主にレンズ鏡筒の分解斜視図を示したものである。同図において、レンズ鏡筒の基部となるベース１には、ネジ止めにより固定筒２が固定される。
【００１９】
１群鏡筒３はレンズ群４（図２）を保持しており、この外周面には、先端にテーパ部を持つフォロアピン６が３本圧入されている。また、１群鏡筒３の前面には、キャップ７が接着により固定されている。
【００２０】
２群鏡筒１３はレンズ群９（図２）を保持しており、この外周には、先端にテーパ部を持つフォロア部１３ａが周方向に等間隔で配置されている。
【００２１】
絞りシャッタユニット８は、不図示の絞り羽根およびシャッタ羽根を有し、２群鏡筒１３に対してビス等で固定される。この絞りシャッタユニット８は、図１６に示すように、カメラ内の制御部６０からの命令を受けて絞り羽根やシャッタ羽根を駆動することにより、像面に入射する光量を調節する。
【００２２】
図５は、レンズ鏡筒内の一部の構成を示す図である。
【００２３】
同図において、レンズ１６を保持する３群鏡筒１５は、光軸方向に延びるガイドバー１７に嵌合するとともに、キャップ２８に設けられ、光軸方向に延びる案内軸２８ａに係合する。これにより、ガイドバー１７は、光軸方向に移動可能となっている。
【００２４】
キャップ２８は、ベース１に固定される。リードスクリュー２０は、ギア２１、アイドラギア２５およびギア２２ａを介してステッピングモータ２２に連結しており、ステッピングモータ２２からの駆動力を受けることで回転する。
【００２５】
スクリュー２０にはナット１８が係合しており、このナット１８は、スクリュー２０が回転することでスクリュー２０に沿って移動する。ここで、ナット１８の溝部１８ａは、３群鏡筒１５の突起部１５ａと係合しているため、ナット１８は、スクリュー２０の軸周りには回転せずに、この軸方向にのみ移動する。
【００２６】
また、ナット１８は３群鏡筒１５に当接しているため、ナット１８がスクリュー２０に沿って移動することで、３群鏡筒１５が光軸方向に移動する。ここで、３群鏡筒１５は、引張りバネ１９によってナット１８に当接する方向に付勢（片寄せ）されている。
【００２７】
図１において、ＣＣＤ等で構成される撮像素子２９は、ベース１にネジ止め固定される保持板３０に接着等により固定保持される。なお、本実施形態では、撮像素子２９を用いたデジタルカメラについて説明するが、フィルムを用いたカメラであっても本発明を適用できる。
【００２８】
フレキシブル基盤３１は、撮像素子２９にはんだ付けされており、撮像素子２９で光電変換された画像信号を画像処理回路６１（図１６）に供給する。画像処理回路６１は、図１６に示すように、カメラ内の制御部６０からの制御信号を受けることにより、撮像素子２９から入力された画像信号に対して所定の処理を行い、メモリ６２に出力する。
【００２９】
なお、画像処理回路６１で処理された画像データは、不図示の表示部に出力されて、この表示部で撮影画像として表示されたり、不図示の記録媒体に記録されたりする。
【００３０】
防塵用のゴム３２およびＬＰＦ（ローパスフィルタ）３３は、ベース１に接着等により固定される。
【００３１】
移動カム環３４の外周面には金属製のフォロアピン３５が圧入されており、このフォロアピン３５は、図１２に示すように固定筒２の内周面に形成されたカム溝２ａに係合する。移動カム環３４が後述するように光軸周りに回転すると、フォロアピン３５がカム溝２ａに沿って移動し、移動カム環３４は固定筒２に対して光軸方向に進退する。
【００３２】
また、移動カム環３４の外周面には、周方向に延びる突部３４ｄが形成されており、この突部３４ｄは、移動カム環３４の移動に応じて、図１２に示すように移動する。そして、移動カム環３４がテレ状態にあるとき、突部３４ｄは固定筒２の内周面に形成されたフランジ部２ｂに当接する。
【００３３】
さらに、移動カム環３４の外周面には、図６に示すように周方向に延びるギア歯３４ａが形成されており、このギア歯３４ａは減速ギア列３７〜４２を介してズームモータ３６に連結されている。これにより、ズームモータ３６の駆動力は、減速ギア列３７〜４２を介して移動カム環３４に伝達され、移動カム環３４は光軸周りに回転する。
【００３４】
ここで、ズームモータ３６の回転軸に圧入されたギア３７には、ズームモータ３６の回転を検知するための３枚の羽根３７ａが設けられており、これらの羽根３７ａはズームモータ３６の回転に応じてフォトインタラプタ５４、５５のスリット部内に進退可能となっている。
【００３５】
これにより、フォトインタラプタ５４、５５からはズームモータ３６の回転に応じた信号が出力され、この出力信号は図１６に示すように制御部６０に入力される。制御部６０は、フォトインタラプタ５４、５５からの入力信号に基づいて所定の演算を行うことにより、ズームモータ３６の回転数及び回転方向を検出する。
【００３６】
図１において、ファインダカムプレート（カム板）４６は、固定筒２の外周面に沿って配置されている。引張りバネ（第１の付勢部材）４７は、この一端がファインダカムプレート４６に固定され、他端が固定筒２に固定されることで、ファインダカムプレート４６を光軸周り一方向に付勢する。
【００３７】
ファインダカムプレート４６の裏面には、図８に示すようにキー部４６ａ、４６ｂが形成されており、このキー部４６ａ、４６ｂは、固定筒２の外周面に形成された溝部２ｄ、２ｅに係合し、この溝部２ｄ、２ｅに沿って移動するようになっている。これにより、ファインダカムプレート４６は、固定筒２の外周に沿って移動する。ここで、キー部４６ａは、溝部２ｄを貫通して固定筒２の内側に突出する。
【００３８】
また、固定筒２の外周にはリブ２ｇが形成されており、このリブ２ｇはファインダカムプレート４６の表面に当接することで、ファインダカムプレート４６が固定筒２から外れるのを阻止している。
【００３９】
一方、ファインダカムプレート４６の表面には、図１０に示すようにテーパカム溝４６ｃ、４６ｄが形成されており、このテーパカム溝４６ｃ、４６ｄには、後述するようにコンペンセータレンズ（移動レンズ）５６のフォロア部５６ａやバリエータレンズ（移動レンズ）５７のフォロア部５７ａが係合する。
【００４０】
ファインダカムプレート４６が固定筒２の外周面に沿って移動（図１０の左右方向に移動）すると、フォロア部５６ａ、５７ａがテーパカム溝４６ｃ、４６ｄにガイドされて光軸方向に移動する。
【００４１】
図１において、移動カム環３４の内部には直進ガイド筒４４が配置され、直進ガイド筒４４の後端部外周に形成された突起４４ｅは、固定筒２の内周面に形成され、光軸方向に延びる溝２ｃに係合している。このため、直進ガイド筒４４は固定筒２に対して光軸方向にのみ移動可能となっている。
【００４２】
また、直進ガイド筒４４の先端には３つの突起４４ｆが形成されており、これらの突起４４ｆは、図１１に示すように、移動カム環３４の内周面に設けられ、この周方向に延びる溝３４ｅに係合する。これにより、移動カム環３４は、直進ガイド筒４４に対して光軸周りに回転可能であるとともに、直進ガイド筒４４とともに光軸方向に移動することができる。
【００４３】
移動カム環３４の内周面には、図１１に示すようにカム溝３４ｂ、３４ｃが形成されており、カム溝３４ｂには１群鏡筒３のフォロアピン６が係合し、カム溝３４ｃには２群鏡筒１３のフォロア部１３ａが係合する。
【００４４】
移動カム環３４が光軸周りに回転（図１１の左右方向に移動）すると、フォロアピン６はカム溝３４ｂのカム軌跡に沿って移動し、フォロア部１３ａはカム溝３４ｃのカム軌跡に沿って移動する。
【００４５】
ここで、直進ガイド筒４４には、図１１に示すように直動溝４４ａ、４４ｂが形成されている。直動溝４４ａには、１群鏡筒３に設けられた直動ピン３ａが係合しており、１群鏡筒３が光軸周りに変位するのを阻止する。なお、直動ピン３ａは、フォロアピン６の基端部に一体的に形成されている。
【００４６】
一方、直動溝４４ｂには、２群鏡筒１３のフォロア部１３ａが係合しており、２群鏡筒１３が光軸周りに変位するのを阻止する。
【００４７】
上記構成において、１群鏡筒３は、カム溝３４ｂおよびフォロアピン６の係合作用と、直動溝４４ａおよび直動ピン３ａの係合作用とにより、光軸方向にのみ移動する（図１１の（ａ）〜（ｃ））。また、２群鏡筒１３は、フォロア部１３ａと、カム溝３４ｃおよび直動溝４４ｂとの係合作用により光軸方向にのみ移動する（図１１の（ａ）〜（ｃ））。
【００４８】
次に、図７および図９を用いて、光学ファインダユニット１４の構成について説明する。
【００４９】
第１のファインダベース５０は、対物レンズ６８、コンペンセータレンズ５６、バリエータレンズ５７、プリズム６９を保持する。対物レンズ６８は、第１のファインダベース５０に接着などで固定される。
【００５０】
コンペンセータレンズ５６およびバリエータレンズ５７は、光軸方向に延びるガイドバー５８に嵌合し、ガイドバー５８に沿って移動可能となっている。ガイドバー５８は、この両端部において、第１のファインダベース５０に固定される。
【００５１】
コンペンセータレンズ５６にはフォロア部５６ａが形成されており、このフォロア部５６ａは、ファインダカムプレート４６のテーパカム溝４６ｃに係合する（図１０）。また、バリエータレンズ５７にはフォロア部５７ａが形成されており、このフォロア部５７ａは、ファインダカムプレート４６のテーパカム溝４６ｄに係合する（図１０）。
【００５２】
コンペンセータレンズ５６およびバリエータレンズ５７には、これらのレンズ５６、５７を第１のファインダベース５０に対して片寄せるためのバネ部材６６、６７が取り付けられており、ガイドバー５８を中心とする回転方向のがたを阻止している。
【００５３】
コンペンセータレンズ５６およびバリエータレンズ５７の間には、圧縮バネ（第２の付勢部材）５９が配置されており、この圧縮バネ５９は、２つのレンズ５６、５７を光軸方向で引き離す方向に付勢することで、レンズ５６、５７の片寄せを行う。
【００５４】
これにより、テーパカム溝４６ｃの外側壁面（図１０中下側の壁面）には、フォロア部５６ａを介して矢印Ａ１で示す力が加わり、テーパカム溝４６ｄの外側壁面（図１０中上側の壁面）には、フォロア部５７ａを介して矢印Ａ２で示す力が加わる。
【００５５】
ここで、ファインダカムプレート４６は、図１０中左右方向にのみ移動可能となっているため、フォロア部５６ａ、５７ａから矢印Ａ１、Ａ２に示す力を受けることで矢印Ｃに示す力を受ける。この矢印Ｃで示す力は、圧縮バネ５９による付勢力のうちファインダカムプレート４６の駆動方向に働く分力となる。
【００５６】
なお、矢印Ｃに示す力は、テーパカム溝４６ｃ、４６ｄの傾き角度に応じて異なり、フォロア部５６ａ、５７ａがテーパカム溝４６ｃ、４６ｄのワイド位置近傍の領域にあるときに大きくなる。
【００５７】
視野マスク７０は、ファインダの視野範囲を制限する。第２のファインダベース７２は、ダハプリズム７１および接眼レンズ７３からなる接眼系のレンズ群を保持する。第２のファインダベース７２および第１のファインダベース５０は、クリップ７５によって固定される。
【００５８】
天板７４は、第１のファインダベース５０の上部を覆うように配置される。
【００５９】
上述したファインダユニット１４の構成において、対物レンズ６８から入射した被写体光束は、コンペンセータレンズ５６およびバリエータレンズ５７を通過し、プリズム６９およびダハプリズム７１で屈折して接眼レンズ７３に導かれる。これにより、撮影者は、接眼レンズ７３を介して被写体像を観察することができる。
【００６０】
本実施形態では、レンズ鏡筒の動作に連動してファインダカムプレート４６が移動することにより、コンペンセータレンズ５６およびバリエータレンズ５７が光軸方向に移動するため、撮影者は接眼レンズ７３を介して撮影画角と略等しい画角で被写体像を観察することができる。
【００６１】
上述した光学ファインダユニット１４は、ベース１に対してビス７６で固定される。
【００６２】
次に、上述した構成のカメラにおいて、レンズ鏡筒の繰り出し繰り込み動作と、このレンズ鏡筒の動作に応じた光学ファインダユニット１４の動作について説明する。
【００６３】
図１６において、電源スイッチ６５が操作されることにより電源が投入されると、制御部６０はズームモータ３６に駆動信号を送ることによりズームモータ３６を駆動させる。これにより、レンズ鏡筒は、沈胴位置から撮影待機位置（ワイド待機位置）まで繰り出す。
【００６４】
このとき、ズームモータ３６の駆動力が減速ギア列３７〜４２を介して移動カム環３４のギア歯３４ａに伝達されると（図６）、移動カム環３４は光軸周り一方向（図６中時計方向）に回動するとともに、フォロアピン３５およびカム溝２ａのカム係合作用により光軸方向に繰り出す。
【００６５】
また、移動カム環３４が光軸周りに回動することにより、１群鏡筒３がフォロアピン６およびカム溝３４ｂのカム係合作用により光軸方向に繰り出すとともに、２群鏡筒１３がフォロア部１３ａおよびカム溝３４ｃのカム係合作用により光軸方向に繰り出す。
【００６６】
レンズ鏡筒が沈胴位置からワイド待機位置の直前位置まで繰り出す間、ファインダカムプレート４６は、引張りバネ４７の付勢力を受けて、図１３に示すように、キー部４６ａの端面４６ｅが固定筒２の溝部２ｄの端面２ｆに当接した位置で停止したままとなっている。
【００６７】
レンズ鏡筒がワイド待機位置まで繰り出すときには、移動カム環３４の外周面に形成された突起３４ｆが移動カム環３４の回転に応じてファインダカムプレート４６のキー部４６ａに当接する。
【００６８】
そして、突起３４ｆがキー部４６ａに当接した状態で、移動カム環３４が図１４中時計方向に所定量回動することで、レンズ鏡筒がワイド待機位置まで繰り出す。このとき、突起３４ｆは、引張りバネ４７の付勢力に抗してファインダカムプレート４６を回転させる。ワイド待機状態にあるときのレンズ鏡筒の光軸方向断面図を図３に示す。
【００６９】
圧縮バネ５９は、図１０に示すように、コンペンセータレンズ５６およびバリエータレンズ５７を光軸方向で引き離す方向（矢印Ａ１、Ａ２方向）に付勢している。
【００７０】
ここで、テーパカム溝４６ｃ、４６ｄは、ファインダカムプレート４６の長手方向（図１０中左右方向）に対して角度を持って形成されており、ファインダカムプレート４６は、フォロア部５６ａ、５７ａを介して圧縮バネ５９からの付勢力を受けることにより、矢印Ｃに示す力を受ける。
【００７１】
この力の方向は、引張りバネ４７によるファインダカムプレート４６の片寄せ方向（矢印Ｂ方向）と一致しており、ファインダカムプレート４６は、矢印Ｃに示す力と矢印Ｂに示す力との合力で片寄せされることになる。
【００７２】
これにより、ファインダカムプレート４６のキー部４６ａは、絶えず移動カム環３４の突起３４ｆに当接する。
【００７３】
図１６において、制御部６０は、フォトインタラプタ５４、５５からの出力に基づいて移動カム環３４がワイド位置まで動作したことを検出すると、ステッピングモータ２２を駆動することにより、待避位置にある３群鏡筒１５の初期位置出しを行う。
【００７４】
ステッピングモータ２２が制御部６０からの命令を受けて駆動すると、この駆動力がギア２２ａ、２５、２１を介してスクリュー２０に伝達され、スクリュー２０が回転する。これにより、ナット１８がスクリュー２０に沿って光軸方向に移動し、３群鏡筒１５もこれに追従して光軸方向に移動する。
【００７５】
このとき、３群鏡筒１５に形成されたスリット板１５ｂが、フォトインタラプタ２７のスリット部内に進入又は退避することにより、フォトインタラプタ２７の出力が切り替わり、制御部６０は、フォトインタラプタ２７の出力の切り替わりを受けてカウンタをリセットし、３群鏡筒１５の駆動を停止させる。これにより、３群鏡筒１５の初期位置出しが完了する。
【００７６】
制御部６０は、初期位置出し動作が完了した後、ステッピングモータ２２を駆動することにより３群鏡筒１５を所定の位置（合焦位置）まで移動させる（焦点調節動作）。そして、被写体の明るさ等に基づいて絞り、ホワイトバランス等の制御を行うことで撮影準備動作を完了させる。
【００７７】
一方、撮影者がカメラに設けられたズームレバーをテレ側に操作すると、ズームモータ３６が正回転を始め、レンズ鏡筒が光軸方向に繰り出す。このとき、ズームモータ３６の回転に応じてフォトインタラプタ５４、５５からの信号が制御部６０に入力される。
【００７８】
制御部６０は、フォトインタラプタ５４、５５からの入力信号に伴いカウントを開始してカウント値を監視する。そして、このカウント値に基づいてズームモータ３６の駆動制御を行い、１群鏡筒３および２群鏡筒１３を所定のズームポジションまで移動させる。
【００７９】
ここで、テレ状態にあるときのレンズ鏡筒の光軸方向断面図を図４に示す。
【００８０】
このとき、移動カム環３４は、引張りバネ４７や圧縮バネ５９による付勢力（片寄せ力）に抗してファインダカムプレート４６を移動させており、ファインダカムプレート４６が移動することで、バリエータレンズ５６およびコンペンセータレンズ５７が光軸方向に移動する。これにより、撮影光学系の変倍動作に応じてファインダ光学系の変倍動作を行うことができる。
【００８１】
撮影者がズームレバーを操作している間は、撮影光学系およびファインダ光学系の変倍動作が行われ、撮影者がズームレバーの操作を止めることで撮影光学系およびファインダ光学系が所定のズームポジションで停止する。
【００８２】
撮影者がズームレバーをワイド側に操作すると、ズームモータ３６が逆回転を始め、ズームモータ３６の回転に応じて移動カム環３４が図１５中反時計方向に回転する。
【００８３】
このとき、ファインダカムプレート４６は引張りバネ４７によって図１５中反時計方向に付勢されているため、ファインダカムプレート４６のキー部４６ａが移動カム環３４の突起３４ｆと当接しながら移動カム環３４とともに回動する。
【００８４】
上述したように、バリエータレンズ５６やコンペンセータレンズ５７の片寄せに用いられている圧縮バネ５９は、図１０に示すようにフォロア部５６ａ、５７ａをテーパカム溝４６ｃ、４６ｄの外側壁面に突き当てており、ファインダカムプレート４６に図１０中左方向の力（矢印Ｃで示す力）を付与している。
【００８５】
したがって、ファインダカムプレート４６は、圧縮バネ５９によっても引張りバネ４７と同様の片寄せされる力を受けることになる。
【００８６】
これにより、従来技術のようにファインダカムプレート４６に引張りバネ４７の付勢方向と逆方向の力（図１７の矢印Ｃ’で示す力）が働くことはなく、ファインダカムプレート４６に対する引張りバネ４７の付勢力が弱まることもない。このため、ファインダカムプレート４６を引張りバネ４７の付勢力によってワイド位置まで移動させる際に、ファインダカムプレート４６が途中で停止してしまうのを防止することができる。
【００８７】
すなわち、レンズ５６、５７（フォロア部５６ａ、５７ａ）をテーパカム溝４６ｃ、４６ｄのワイド位置まで正確に移動させることができる。
【００８８】
また、本実施形態では、引張りバネ４７のバネ力を強くする必要もないため、ファインダカムプレート４６を引張りバネ４７の付勢力に抗して駆動する際の駆動力を大きくする必要はなく、ズームモータ３６に供給される電流量が多くなるのを防止することができる（省電力化）。
【００８９】
図１６において、電源スイッチ６５の操作によりカメラの電源をＯＦＦ状態とした場合、制御部６０は、電源スイッチ６５からの出力信号を受けてレンズ鏡筒を撮影位置から沈胴位置に向けて繰り込み動作させる。
【００９０】
制御部６０は、まず、ステッピングモータ２２を駆動することにより、３群鏡筒１５を沈胴待機位置まで移動させる。そして、ズームモータ３６を駆動して移動カム環３４を光軸周りに回転させることにより、レンズ鏡筒を繰り込ませる。
【００９１】
ここで、移動カム環３４がワイド待機位置に移動するまでは、移動カム環３４の突起３４ｆがファインダカムプレート４６のキー部４６ａに当接する。そして、移動カム環３４がワイド待機位置に移動すると、キー部４６ａが固定筒２の溝部２ｄの端面２ｆに当接する。
【００９２】
ワイド待機位置から沈胴位置の間では、移動カム環３４だけが光軸周りに回転し、突起３４ｆはキー部４６ａから離れていく。ここで、ファインダカムプレート４６は、引張りバネ４７の付勢力を受けているため、キー部４６ａが端面２ｆに当接した位置に保持される。
【００９３】
レンズ鏡筒が沈胴位置まで繰り込むと、直進ガイド筒４４に形成されたスリット板４４ｃがフォトインタラプタ４９のスリット部内に侵入し、これによりフォトインタラプタ４９の出力信号が切り替わる。沈胴状態にあるレンズ鏡筒の光軸方向断面図を図２に示す。
【００９４】
制御部６０は、ズームリセットとなるフォトインタラプタ４９の出力信号の切り替わりを検出することでリセット動作を行い、レンズ鏡筒を沈胴位置まで確実に駆動した後に、電気的な終了処理を行い、電源を遮断する。
【００９５】
なお、本実施形態では、移動カム環３４が光軸周りに回転することで、ファインダカムプレート４６を移動させる構成であるが、レンズ鏡筒の繰り出し繰り込み動作に応じて光軸方向に移動するピンを設け、このピンに移動に応じてファインダカムプレートをカム駆動する構成であってもよい。また、ファインダカムプレート４６は、固定筒２の周方向に沿った形状に形成されているが、平板状に形成されているものでもよい。
【００９６】
【発明の効果】
本発明によれば、消費電力を大きくせずに移動レンズを正確に駆動することができる。
【図面の簡単な説明】
【図１】本実施形態のカメラにおけるレンズ鏡筒の分解斜視図。
【図２】レンズ鏡筒の光軸方向断面図（沈胴状態）。
【図３】レンズ鏡筒の光軸方向断面図（ワイド待機状態）。
【図４】レンズ鏡筒の光軸方向断面図（テレ状態）。
【図５】レンズ鏡筒の部分構成図。
【図６】移動カム環の駆動機構を示す図。
【図７】光学ファインダユニットの部分構成を示す断面図。
【図８】ファインダカムプレートおよび固定筒の外観斜視図。
【図９】光学ファインダユニットの分解斜視図。
【図１０】本実施形態におけるファインダカムプレートの動作原理を説明する図。
【図１１】移動カム環および直進ガイド筒の展開図。
【図１２】固定筒の展開図。
【図１３】レンズ鏡筒の正面図。
【図１４】レンズ鏡筒の正面図。
【図１５】レンズ鏡筒の正面図。
【図１６】本実施形態であるカメラのブロック図。
【図１７】従来技術におけるファインダカムプレートの動作原理を説明する図。
【符号の説明】
１：ベース
２：固定筒
３：１群鏡筒
８：絞りシャッタユニット
１４：光学ファインダユニット
１５：３群鏡筒
２２：ステッピングモータ
２９：撮像素子
３４：移動カム環
３６：ズームモータ
４４：直進ガイド筒
４６：ファインダカムプレート
４７：引張りバネ
５６：バリエータレンズ
５７：コンペンセータレンズ
５９：圧縮バネ
【図１】
2004258195.tif 000003
【図２】
2004258195.tif 000004
【図３】
2004258195.tif 000005
【図４】
2004258195.tif 000006
【図５】
2004258195.tif 000007
【図６】
2004258195.tif 000008
【図７】
2004258195.tif 000009
【図８】
2004258195.tif 000010
【図９】
2004258195.tif 000011
【図１０】
2004258195.tif 000012
【図１１】
2004258195.tif 000013
【図１２】
2004258195.tif 000014
【図１３】
2004258195.tif 000015
【図１４】
2004258195.tif 000016
【図１５】
2004258195.tif 000017
【図１６】
2004258195.tif 000018
【図１７】
2004258195.tif 000019